(57)【要約】【課題】  イヤをトロリ線から取り外すことなく、容易に曲線引金具のばねユニットの保守点検作業を行うことを課題とする。【解決手段】  ばねユニットの分解、再組立用治具１を、本体２と、本体２に枢着される圧縮部材３と、本体２に螺挿される操作ボルト４とで構成する。本体２は、曲線引金具のばねケース４６の下端側から突出したばね４８にばねカバー５０を介してばね押圧片５を当接させ、このばね押圧片５の一端から直角に起立する支持片６に操作ボルト４を螺挿させる。圧縮部材３は、ばね押圧片５に枢着片７を枢着し、この枢着片７の先端から直角にケース押圧片８を延出させ、ケース押圧片８をばねケース４６の上端に係止し、本体２のばね押圧片５と対向させる。操作ボルト４を螺進させ、圧縮部材３を回転させて、ケース押圧片８とばね押圧片５とでばね４８を圧縮し、アイボルト４７の荷重を除去する。【選択図】図１
2010208517.tif 000002
【特許請求の範囲】
【請求項１】
支持構造物に固定されるアーム支持金具と、基端において前記アーム支持金具に上下方向に回転自在に枢支されるアームと、このアームの先端に取り付けられトロリ線を把持するイヤと、前記アーム支持金具とアームとの間に介設されアームの先端側を上方へ引き上げるように回転付勢するばねユニットとを具備し、このばねユニットは前記アームの途上に設けられ一端が閉じて他端に開放するばねケースと、このばねケース内に挿入される押しばねと、ばねとばねケースを貫通して延び一端のアイ部が前記アーム支持金具に枢支されるアイボルトと、このアイボルトの他端部に螺合され前記ばねの圧縮度を変更して前記アームの引き上げ力を調整する調整ナットとを具備する曲線引金具における前記ばねユニットを設置状態において分解し、再組立する際に用いられるものであって、
前記ばねケースの一端側から突出した前記ばねの一端に当接するばね押圧片を有する本体と、
前記ばねケースの他端側に当接するケース押圧片を有し、前記本体に枢着され、本体に対する回転により、ケース押圧片と前記ばね押圧片との間で前記ばねを圧縮可能に構成される圧縮部材と、
先端が前記圧縮部材に当接するように前記本体に螺合され、螺進により前記ばねを圧縮する方向に圧縮部材を回転させ、前記曲線引金具のアイボルトの荷重を除去可能とする操作ボルトとを具備することを特徴とする曲線引金具のばねユニット分解、組立用治具。
【請求項２】
設置状態にある前記曲線引金具のばねユニットにおける前記調整ナットから突出する既設の前記アイボルトの既定突出長さを記憶し、ばねユニット分解後の再組立の際にアイボルトの突出長さを既定突出長さに合わせるための測定治具をさらに具備し、
この測定治具は、一端側に前記アイボルトの突出部に螺合可能なねじ筒部を有し他端側にねじ筒部と同軸の貫通ねじ部を有するナット部材と、
このナット部材の前記貫通ねじ部に螺合され、前記ねじ筒部に螺合された前記アイボルトの先端に当接可能なねじ棒と、このねじ棒に螺合されるロックナットとを具備することを特徴とする請求項１に記載の曲線引金具のばねユニット分解、組立用治具。
【発明の詳細な説明】
【技術分野】
【０００１】
この発明は、トロリ線の曲線引金具において、アームの先端側を上方へ回転付勢しているばねユニットをメンテナンス等の目的で、分解、再組立する際に用いられる治具に関する。
【背景技術】
【０００２】
本発明に係るばねユニットの分解、組立用治具を適用するトロリ線の曲線引金具を図８に示す（特許文献１、図３，４参照）。ここで、４１は水平パイプ、４２は支持金具、４３はイヤ、Ｔはトロリ線、４４はアームである。曲線引金具は、支持金具４２、イヤ４３、アーム４４で構成される。水平パイプ４１は、電車線柱などの構築物に支持されている。水平パイプ４１に支持金具４２が固定され、さらにこの支持金具４２にアーム４４が鉛直平面上で上下方向に自由な回転ができるように支持されている。アーム４４の先端にはイヤ４３が接続されており、このイヤ４３によってトロリ線Ｔが把持される。従って、トロリ線Ｔは、引張力に対する水平方向の動きは固定され、鉛直方向の動きは自由になっている。列車の高速運転状況では、トロリ線Ｔに取り付けられる金具の質量である等価質量が大きいと、トロリ線の硬点となり、トロリ線の局部摩耗の原因となる。そこで、等価質量を極力小さくするために、アーム４４の先端側を引き上げる所定の回転付勢力を付与するためのばねユニット４５が、アーム４４の基端部と支持金具４２との間に設けられる。ばねユニット４５はまた、万一、イヤ４３がトロリ線Ｔから外れたときに、アーム４４の先端側が垂れ下がって電車のパンタグラフと干渉しないようにする機能がある。図６に示すように、ばねユニット４５は、ばねケース４６と、アイボルト４７と、押しばね４８と、調整ナット４９とを具備する。ばねケース４６は、下方に開放して上端が閉じた概略釣り鐘状で、アーム４４と一体に形成される。ばね４８は、ばねケース４６内に挿入される。アイボルト４７は、ばね４８とばねケース４６を上下に自由に貫通して延び、一端のアイ部４７aがアーム支持金具４２に枢支される。調整ナット４９は、アイボルト４７の他端部に螺合され、ばね４８の圧縮度を変更して、アーム４４の引き上げ力を調整する。
上記のような曲線引金具のばねユニットは、設置状態のまま分解して点検し、所要の部品交換を行うことがある、この場合、ばねユニットの分解、再組立の作業は、従来、以下のように行われている。まず、ナット４９から突出したアイボルト４７の突出寸法を計測してこれを記録することにより、初期の設定ばね力を記録する。次いで、イヤ４３をトロリ線Ｔから外し、アーム４４の先端側を引き上げることにより、ナット４９にかかっているばね４８の力を除去する。ナット４９を取り外し、必要な点検、交換作業を行った上、ナット４９を再螺合し、記録したアイボルト４７の突出寸法位置に調整する。次いで、離れているトロリ線を引き寄せ、トロリ線Ｔをイヤ４３で把持して、作業が完了する。
【先行技術文献】
【特許文献】
【０００３】
【特許文献１】特開２００５−００８０４２号公報
【発明の概要】
【発明が解決しようとする課題】
【０００４】
上記従来のばねユニットの分解、組立作業は、夜間の高所作業となるので、アイボルト４７の突出寸法の計測、記録作業は容易でない。トロリ線Ｔには張力がかかっているので、トロリ線Ｔからのイヤ４３の取り外し、と再接続の作業には大きな労力を必要とする。アーム４４の先端側を引き上げながら、ばねユニットを分解、再組立する作業は、一人で行うことができない等の課題がある。
したがって、この出願に係る発明は、イヤをトロリ線から取り外すことなく、一人で、容易にばねユニットの保守点検作業を行うことができるばねユニットの分解、再組立用治具を提供すること、また、アイボルトの突出寸法の計測、記憶、および再組立の際のナットの調整が容易なばねユニットの分解、再組立用治具を提供することを目的とする。
【課題を解決するための手段】
【０００５】
以下、添付図面の符号を参照して説明するが、本発明はこれに限定されるものではない。  上記課題を解決するための、この出願に係るばねユニットの分解、再組立用治具１は、本体２と、圧縮部材３と、操作ボルト４とを具備する。本体２は、ばねケース４６の一端側から突出したばね４８の一端にばねカバー５０を介して当接するばね押圧片５を有する。圧縮部材３は、本体２に枢着され、ばねケース４６の他端側に当接するケース押圧片８を有し、このケース押圧片８と本体２のばね押圧片５との間でばね４８を圧縮可能に構成される。図６に示すように、操作ボルト４は、先端が圧縮部材３に当接するように本体２に螺合され、螺進によりばね４８を圧縮する方向に圧縮部材３を回転させ、曲線引金具のアイボルト４７の荷重を除去する。
ばねユニットの分解、再組立用治具１は、アイボルト４７の突出長さ測定治具１１をさらに具備するものとすることができる。アイボルト４７の突出長さ測定治具１１は、設置状態にある曲線引金具のばねユニット４５における調整ナット４９から突出する既設のアイボルト４７の既定突出長さを記憶し、ばねユニット分解後の再組立の際にアイボルト４７の突出長さを既定突出長さに合わせるためのものであり、ナット部材１２と、ねじ棒１３と、ロックナット１４とを具備する。ナット部材１２は、一端側にアイボルト４７の突出部に螺合可能なねじ筒部１５を有し、他端側にねじ筒部１５と同軸の貫通ねじ部１６を有する。ねじ棒１３は、ナット部材１２の貫通ねじ部１６に螺合される。ねじ筒部１５は、先端が調整ナット４９に当接するまでアイボルト４７の突出部にねじ込まれる。この状態で、ねじ棒１３を螺進させて、アイボルト４７の先端に当接可能である。ロックナット１４は、ねじ棒１３に螺合され、ねじ棒１３がアイボルト４７の先端に当接した状態で、ナット部材１２に圧接させることで、ナット部材１２に対してねじ棒１３を固定する。
【発明の効果】
【０００６】
この出願に係る発明のばねユニットの分解、再組立用治具によれば、本体とばね押圧片とでばねを圧縮し、アイボルトの荷重を除去できるので、イヤをトロリ線から取り外すことなく、一人で、容易にばねユニットの保守点検作業を行うことができる。
また、アイボルトの突出長さ測定治具を併せて具備すれば、既設のアイボルトの突出寸法を、ナット部材に対するねじ棒の螺合深さによって、容易に計測、記憶でき、再組立の際に螺合される新たな調整ナットを既設調整ナットの規定の元位置にセットするとき、新たな調整ナットをナット部材に当接させるだけで規定位置へのセットが容易に完了する。
【図面の簡単な説明】
【０００７】
【図１】本発明に係るばねユニットの分解、再組立用治具の正面図である。
【図２】図１の分解、再組立用治具の側面図である。
【図３】図１の分解、再組立用治具の平面図である。
【図４】図１の分解、再組立用治具の底面図である。
【図５】図１の分解、再組立用治具の斜視図である。
【図６】図１の分解、再組立用治具の使用状態の正面図である。
【図７】本発明に係るばねユニットの分解、再組立用治具における測定治具の正面図である。
【図８】本発明に係るばねユニットの分解、再組立用治具を適用する曲線引金具の正面図である。
【発明を実施するための形態】
【０００８】
図面を参照してこの発明の実施の形態を説明する。
ばねユニットの分解、再組立用治具１は、本体２と、本体２に枢着される圧縮部材３と、本体２に螺挿される操作ボルト４とを具備する。
本体２は、ばね押圧片５と、このばね押圧片５の一端から直角に起立する支持片６とを有する。
ばね押圧片５は、使用時に、曲線引金具のばねケース４６の下端側から突出したばね４８の下端に、ばねカバー５０を介して当接させるものである。ばね押圧片５は、ばね４８の下端から突出したアイボルト４７の下端部を挿通させるほぼ円形の切り欠き５aと、これを囲んでばねカバー５０に当接する当接部５ｂとを有する。ばね押圧片５の支持片６寄りの上面には、軸受け部５ｃが突設される。
支持片６は、ばね押圧片５と平行に操作ボルト４を螺挿させるねじ孔６ａを有する。ねじ孔６ａは、支持片６の円孔６ｂに重ねて溶着されたナット６ｃによって形成される。
【０００９】
圧縮部材３は、枢着片７と、この枢着片７の先端から直角に延出するケース押圧片８とを有する。
枢着片７は、基端においてばね押圧片５の軸受け部５ｃに、軸９により枢着される。枢着片７は、支持片６と対向する外面とその反対側の内面とを有し、内面側にパッド１０が固着される。パッド１０は、ばねケース４６の円弧状の外周面に沿うように円弧状に切り欠かれたガイド部１０ａを有する。
ケース押圧片８は、ばねケース４６の上端に係止され、本体２のばね押圧片５と対向してばね４８を圧縮するためのものである。
【００１０】
操作ボルト４は、基端側に摘みハンドル４ａを有し、先端が枢着片７の外面７ａに当接するように、本体２のねじ孔６ａに螺挿される。操作ボルト４を螺進させることにより、圧縮部材３を軸９を中心に回転させ、ケース押圧片８をばね押圧片５に接近させる。
【００１１】
ばねユニットの分解、再組立用治具１は、アイボルトの突出長さ測定治具１１をさらに具備するものとすることができる。この測定治具１１は、圧縮部材３に紐体１７で接続される。測定治具１１は、設置状態にある曲線引金具のばねユニット４５における調整ナット４９から突出する既設のアイボルト４７の既定突出長さを記憶し、ばねユニット分解後の再組立の際に、アイボルト４７の突出長さを既定突出長さに合わせるためのものである。測定治具１１は、ナット部材１２と、ねじ棒１３と、ロックナット１４とを具備する。
【００１２】
ナット部材１２は、一端側にアイボルト４７の突出部４７ｂに螺合可能なねじ筒部１５を有し、他端側にねじ筒部１５と同軸の貫通ねじ部１６を有する。また、ナット部材１２は、外周に、回転操作用のローレット刻みを有する。
【００１３】
ねじ棒１３は、基端側に摘みハンドル１３ａを備え、ナット部材１２の貫通ねじ部１６に螺合され、ねじ筒部１５に螺合されるアイボルト４７の先端に当接可能である。
【００１４】
ねじ棒１３に螺合されるロックナット１４は、外周に回転操作用のローレット刻みを備える。ねじ棒１３がアイボルト４７の先端に当接した状態で、ロックナット１４をナット部材１２に圧接させることで、ナット部材１２に対してねじ棒１３を固定する。ねじ棒を固定した状態で、ナット部材１２をアイボルト４７から抜き取れば、ねじ筒部１５の先端からねじ棒１３の先端までの距離Ａが、アイボルト４７の既定突出長さとして記憶される。
【００１５】
曲線引き金具を電車線路に設置した状態で、ばねユニット４５を分解して保守点検や部品交換を行う場合には、図６に示すように、分解、再組立用治具１を側方からばねケース４６に嵌め込み、ばね押圧片５をばねカバー５０に当接させると共に、ケース押圧片８をケースの上端に当接させる。この状態で、測定治具１１のねじ筒部１５をアイボルト４７の突出部４７ｂに螺合し、ねじ筒部１５の先端が調整ナット４９に当接するまでねじ込む。ねじ筒部１５の先端が調整ナット４９に当接したら、ねじ棒１３をねじ筒部１５内へねじ込んで、その先端をアイボルト４７の先端に当接させる。ロックナット１４を調整し、これをナット部材１２に圧接させ、ナット部材１２とねじ棒１３とを固定する。この状態で、ナット部材１２を回転させて、ねじ筒部１５をアイボルト４７の突出部４７ｂから外す。次いで、操作ボルト４を本体２にねじ込んで、圧縮部材３を回転させ、ケース押圧片８をばね押圧片５に接近させることにより、ばね４８を圧縮する。ばね４８の圧縮により、アイボルト４７の荷重が除去され、アイボルト４７は、自由に動かせるようになる。この状態で、アイボルト４７や調整ナット４９、座金等、所要の部品を交換する。再組立の際には、調整ナット４９をばね４８（ばねカバー５０）に当接するまでねじ込む。この状態で、調整ナット４９の位置は、既定位置より深いねじ込み位置にある。次いで、アイボルト４７の突出部４７ｂに、先にボルト４７の既定突出長さを記憶させた測定治具１１のねじ筒部１５を、ねじ棒１３の先端がアイボルト４７の先端に当接するまでねじ込む。この状態で、調整ナット４９を、ねじ筒部１５の先端に当接するまでねじ戻す。これで調整ナット４９は、既定位置に配置される。次いで、操作ボルト４を緩めてばね４８を解放し、分解、再組立用治具１と測定治具１１を取り外して作業は終了する。
【符号の説明】
【００１６】
１    ばねユニットの分解、再組立用治具
２    本体
３    圧縮部材
４    操作ボルト
５    ばね押圧片
５ｃ  軸受け部
６    支持片
６ａ  ねじ孔
７    枢着片
８    ケース押圧片
９    軸
１０    パッド
１１    アイボルトの突出長さ測定治具
１２    ナット部材
１３    ねじ棒
１４    ロックナット
１５    ねじ筒部
１６    貫通ねじ部
４５    ばねユニット
４６    ばねケース
４７    アイボルト
４８    ばね
４９    調整ナット
５０    ばねカバー
【図１】
2010208517.tif 000003
【図２】
2010208517.tif 000004
【図３】
2010208517.tif 000005
【図４】
2010208517.tif 000006
【図５】
2010208517.tif 000007
【図６】
2010208517.tif 000008
【図７】
2010208517.tif 000009
【図８】
2010208517.tif 000010